(57)【要約】【課題】通信障害の物理的な発生箇所を速やかに特定できる照明システムを提供する。【解決手段】自動点検監視システムは、通信機能を有する複数の誘導灯２Ａ〜２Ｊと、これらの誘導灯２Ａ〜２Ｊが通信線を介して接続され、各誘導灯２Ａ〜２Ｊに予め設定されるアドレスにより各誘導灯２Ａ〜２Ｊを個別に監視および制御する制御装置１と、この制御装置１から各誘導灯２Ａ〜２Ｊに至る通信経路の途中位置に設けられ、制御装置１と各誘導灯２Ａ〜２Ｊの間の通信状態を監視する監視装置３とを備えている。【選択図】図１
2010231982.tif 000002
【特許請求の範囲】
【請求項１】
通信機能を有する複数の照明器具と、当該複数の照明器具が通信線を介して接続され各照明器具に予め設定されるアドレスにより各照明器具を個別に監視および制御する制御装置と、当該制御装置から各照明器具に至る通信経路の途中位置に設けられ制御装置と各照明器具の間の通信状態を監視する監視装置とを備えることを特徴とする照明システム。
【請求項２】
前記監視装置は、監視結果を報知する報知手段を備えることを特徴とする請求項１記載の照明システム。
【請求項３】
前記監視装置は、監視結果を記憶する記憶手段を備えることを特徴とする請求項１または２の何れか１項に記載の照明システム。
【請求項４】
前記監視装置は、通信線が接続可能な接続部を少なくとも３つ備え、前記複数の照明器具および制御装置は、それぞれ通信線を介して何れかの接続部に接続されており、前記監視装置は、前記制御装置と各照明器具の間の通信状態を接続部毎に監視することを特徴とする請求項１〜３の何れか１項に記載の照明システム。
【発明の詳細な説明】
【技術分野】
【０００１】
本発明は、照明システムに関するものである。
【背景技術】
【０００２】
従来より、通信機能を備えた複数の防災照明端末（例えば誘導灯など）と、各防災照明端末の状態を監視したり、各防災照明端末に対して点検命令を送信したりする制御装置とをネットワークを介して接続し、各防災照明端末の情報を個別に監視可能な防災照明用監視システムが提供されている（例えば特許文献１参照）。この防災照明用監視システムでは、各防災照明端末にそれぞれアドレスが設定されており、制御装置はこのアドレスによって各防災照明端末を個別に管理している。
【先行技術文献】
【特許文献】
【０００３】
【特許文献１】特開２００５−３２１１５号公報（段落［００１０］−段落［００１８］、及び、図１−図３）
【発明の概要】
【発明が解決しようとする課題】
【０００４】
上述の特許文献１に示した防災照明用監視システムでは、例えば防災照明端末の通信異常や通信線の断線などによって通信障害が起こった場合にはその通信障害がどこで発生したかを特定する必要があるが、本従来例では通信障害が生じた防災照明端末に設定されたアドレスを制御装置に表示可能であるものの、通信障害が発生したアドレスがどの防災照明端末に割り当てられたもので、またどこに設置されているかを特定するには設計図面やアドレス配置図などが必要であった。しかも、アドレスなどの障害情報を表示する制御装置は防災照明端末と離れた場所（例えば集中管理室など）に設置されることが多いため、障害箇所を特定するためには制御装置と障害箇所の間を行き来しなければならず、手間がかかるものであった。
【０００５】
本発明は上記問題点に鑑みて為されたものであり、その目的とするところは、通信障害の物理的な発生箇所を速やかに特定できる照明システムを提供することにある。
【課題を解決するための手段】
【０００６】
請求項１の発明は、通信機能を有する複数の照明器具と、当該複数の照明器具が通信線を介して接続され各照明器具に予め設定されるアドレスにより各照明器具を個別に監視および制御する制御装置と、当該制御装置から各照明器具に至る通信経路の途中位置に設けられ制御装置と各照明器具の間の通信状態を監視する監視装置とを備えることを特徴とする。
【０００７】
請求項２の発明は、監視装置は、監視結果を報知する報知手段を備えることを特徴とする。
【０００８】
請求項３の発明は、監視装置は、監視結果を記憶する記憶手段を備えることを特徴とする。
【０００９】
請求項４の発明は、監視装置は、通信線が接続可能な接続部を少なくとも３つ備え、複数の照明器具および制御装置は、それぞれ通信線を介して何れかの接続部に接続されており、監視装置は、制御装置と各照明器具の間の通信状態を接続部毎に監視することを特徴とする。
【発明の効果】
【００１０】
請求項１の発明によれば、通信障害の物理的な発生箇所を特定する際に、通信経路の途中位置に設けた監視装置により障害情報を確認することができるので、従来例に比べて障害情報を表示する制御装置と障害箇所の間を行き来する手間を省くことができ、その結果通信障害の物理的な発生箇所を速やかに特定することができる。さらに、監視装置に対して上流側の照明器具、或いは下流側の照明器具の何れかで通信障害が発生したのを大まかに把握することもできるという効果がある。
【００１１】
請求項２の発明によれば、制御装置と各照明器具の間の通信状態を報知手段により報知することができ、管理者やユーザはその報知内容からシステムの通信状態を容易に把握することができるという効果がある。
【００１２】
請求項３の発明によれば、過去の監視結果を記憶手段から読み出して確認することができ、また例えば記憶手段としてＵＳＢメモリやＳＤメモリカードのように携帯可能なものを用いた場合には、本システムが設置された場所と異なる場所にいる人に対しても監視結果を提示することができるという効果がある。
【００１３】
請求項４の発明によれば、制御装置と各照明器具の間の通信状態を接続部毎に監視しているので、通信障害が発生した場合には障害箇所を接続部単位で特定することができ、その結果物理的な障害箇所の特定をより速やかに行うことができるという効果がある。
【図面の簡単な説明】
【００１４】
【図１】本実施形態の自動点検監視システムの概略構成図である。
【図２】（ａ）は同上に用いられる制御装置の概略ブロック図、（ｂ）は同上に用いられる誘導灯の概略ブロック図、（ｃ）は同上に用いられる監視装置の概略ブロック図である。
【発明を実施するための形態】
【００１５】
本発明に係る照明システムの実施形態を図１および図２に基づいて説明する。本発明に係る照明システムは、例えば誘導灯などの防災用照明器具を監視し定期的に点検する自動点検監視システムであり、以下の説明では照明器具として誘導灯を用いた場合について説明する。
【００１６】
本実施形態の自動点検監視システムは、図１に示すように通信機能を有する複数の誘導灯２Ａ〜２Ｊと、これらの誘導灯２Ａ〜２Ｊが通信線を介して接続され、各誘導灯２Ａ〜２Ｊに予め設定されるアドレスによって各誘導灯２Ａ〜２Ｊを個別に監視および制御する制御装置１と、この制御装置１から各誘導灯２Ａ〜２Ｊに至る通信経路の途中位置に設けられ、制御装置１と各誘導灯２Ａ〜２Ｊの間の通信状態を監視する監視装置３とを備えている。ここにおいて、各誘導灯２Ａ〜２Ｊにはそれぞれ図示しないディップスイッチにより個別のアドレスが設定されることになるが、本実施形態では誘導灯２Ａ〜２Ｊにそれぞれ００１〜０１０のアドレスが設定されており、制御装置１はこれらのアドレスにより誘導灯２Ａ〜２Ｊを識別できるものとする。
【００１７】
図２（ａ）は制御装置１の概略ブロック図であり、マイクロコンピュータを主な構成要素とし全般的な制御を行う制御部１０と、各誘導灯２Ａ〜２Ｊとの間で通信を行う通信部１１と、例えばタッチパッドからなり外部からの操作入力を受け付ける操作部１４と、後述する各誘導灯２Ａ〜２Ｊの点検結果や点検スケジュールなどを表示する表示部１２と、上記の点検結果や点検スケジュールなどを記憶させる記憶部１３とを備えている。ここにおいて本実施形態では、上記の操作部１４と表示部１２とでタッチパネルディスプレイを構成しており、例えば本システムの管理者は、このタッチパネルディスプレイを通じて各誘導灯２Ａ〜２Ｊに対する点検命令や点検スケジュールなどの入力操作を行い、また設定内容や点検結果などを確認する。なお、上記の記憶部１３はＥＥＰＲＯＭやフラッシュメモリなどが好適であるが、例えばＵＳＢメモリやＳＤメモリカードのように制御装置１に対して着脱可能なメモリであってもよい。
【００１８】
図２（ｂ）は誘導灯２Ａ〜２Ｊの概略ブロック図であり、制御装置１との間で通信を行うための通信機能部２１と、内蔵されたランプの点灯機能や点検機能を有する点灯回路部２０とを備えている。また、通信機能部２１は、マイクロコンピュータを主な構成要素とし全般的な制御を行う制御部２２と、制御装置１との間で通信を行う通信部２３と、点灯回路部２０との間で通信を行うためのインターフェース部２４とを備えている。また、点灯回路部２０は、例えばランプおよび非常時の電源である電池の寿命判定や異常判定などを行う機能を有しており、これらの点検結果はインターフェース部２４を介して制御部２２に入力される。その後、制御部２２では、受け取った点検結果を通信部２３から制御装置１に向けて送信する。
【００１９】
図２（ｃ）は監視装置３の概略ブロック図であり、マイクロコンピュータを主な構成要素とし全般的な制御を行う制御部３０と、制御装置１からの主幹通信路Ｌ１に接続され、制御装置１や主幹通信路Ｌ１に接続された誘導灯２Ａ，２Ｂとの間で通信を行う主幹通信部３１と、分岐通信路Ｌ２，Ｌ３にそれぞれ接続され、分岐通信路Ｌ２，Ｌ３を介して誘導灯２Ｃ〜２Ｆまたは誘導灯２Ｇ〜２Ｊとの間で通信を行う分岐通信部３２と、例えば液晶パネルからなり各誘導灯２Ａ〜２Ｊの点検結果などを表示する表示部３３と、上記の点検結果などを記憶させる記憶部３４と、商用交流電源ＡＣから上記各部の動作電源を生成する電源部３５とを備えている。なお、上記の記憶部３４はＥＥＰＲＯＭやフラッシュメモリなどが好適であるが、例えばＵＳＢメモリやＳＤメモリカードのように誘導灯２Ａ〜２Ｊに対して着脱可能なメモリであってもよい。ここに、本実施形態では、表示部３３により報知手段が構成され、記憶部３４により記憶手段が構成されている。
【００２０】
なお、上述した通信部１１、通信部２３、主幹通信部３１および分岐通信部３２は、例えばＲＳ４８５ドライバなどで構成されており、各通信部はｅｍＮＥＴ（登録商標）と呼ばれる組込機器用のネットワークプロトコルに従って相互に通信可能になっている。
【００２１】
ここで、本実施形態の自動点検監視システムには、消防法で定められている６ヶ月に１度の「定期点検」と、２週間に１度の「週間点検」と、「常時監視」の３つのモードが設けられている。「定期点検」は、ランプを定格時間非常点灯させることによって電池の容量確認を行うモードであり、また「週間点検」は、ランプを短時間非常点灯させることによって寿命末期部品の検出を行うモードであり、さらに「常時監視」は、不点灯などの故障モードを常に監視するモードである。そして、「定期点検」および「週間点検」については、制御装置１の記憶部１３に記憶させてある点検スケジュールにしたがって制御部１０から送信される点検命令によりそれぞれ実行されることになる。なお、本実施形態の自動点検監視システムでは、予め設定された点検周期にすべての誘導灯２Ａ〜２Ｊの定期点検を終了できるように、また隣り合う誘導灯が同時に点灯しないように点検時刻を考慮して点検スケジュールを決定し、各誘導灯２Ａ〜２Ｊに対して順次点検命令が送信されることになる。
【００２２】
ところで、上述した監視装置３は、制御装置１から各誘導灯２Ａ〜２Ｊに至る通信経路の途中位置に設けられるものであり、通信線を介して制御装置１および誘導灯２Ａ〜２Ｊが接続されることになるが、本実施形態では主幹通信路Ｌ１を接続するための第１の接続部（図示せず）と、複数の分岐通信路Ｌ２，Ｌ３を接続するための複数の第２の接続部（図示せず）とを監視装置３に設けてある。すなわち、本実施形態の監視装置３には、図１に示すように主幹通信路Ｌ１が２つの分岐通信路Ｌ２，Ｌ３に分岐する形で接続されることになる。そして、この監視装置３では、制御装置１と各誘導灯２Ａ〜２Ｊの間の通信状態を上記の接続部毎に監視するように構成されており、そのため制御部３０では、どの接続部にどの誘導灯が接続されているかを判別できるようになっている。
【００２３】
なお、第１の接続部は上述した主幹通信部３１に接続されており、また第２の接続部は上述した分岐接続部３２に接続されている。すなわち、本実施形態の監視装置３では、制御装置１から送信された点検命令を主幹通信部３１が受信すると、分岐通信部３２から分岐通信路Ｌ２に接続された誘導灯２Ｃ〜２Ｆと、分岐通信路Ｌ３に接続された誘導灯２Ｇ〜２Ｊとに送信可能になっている。また、各誘導灯２Ｃ〜２Ｊからの点検結果についても同様にして制御装置１に送信可能になっている。
【００２４】
次に、本自動点検監視システムの動作について説明する。なお、以下の説明では各誘導灯２Ａ〜２Ｊに対応する点検命令をアドレス順に送信する場合について説明する。
【００２５】
アドレス００１を含む点検信号が制御装置１から主幹通信路Ｌ１に送出されると、この点検信号は主幹通信路Ｌ１を介して誘導灯２Ａ，２Ｂに送信されるとともに、監視装置３の分岐通信部３２から分岐通信路Ｌ２，Ｌ３を介して誘導灯２Ｃ〜２Ｊに送信される。なおこのとき、この点検信号は監視装置３の制御部３０にも入力され、この点検信号に含まれるアドレスや点検命令が表示部３３に表示されるとともに記憶部３４に記憶される。一方、誘導灯２Ａ〜２Ｊでは、受信した点検信号に含まれるアドレスが自己に設定されたアドレスと一致するか否かを判断し、誘導灯２Ａではアドレスが一致するから点検信号に含まれる点検命令を取り込み、他の誘導灯２Ｂ〜２Ｊではアドレスが一致しないから点検命令を取り込まない。そして、誘導灯２Ａでは、受け取った点検命令にしたがって点検（定期点検または週間点検）を実施し、その点検結果を通信部２３から主幹通信路Ｌ１に送出する。その後、制御装置１は、この点検結果を受信して表示部１２に表示させるとともに記憶部１３に記憶させる。なおこのとき、この点検結果は監視装置３の制御部３０にも入力され、表示部３３に表示させるとともに記憶部３４に記憶させる。ここに、同一の主幹通信路Ｌ１に接続される誘導灯２Ｂでは、同様の手順により点検結果が制御装置１に送信されることになる。
【００２６】
次に、例えば制御装置１から送信された点検信号に含まれるアドレスが００４である場合には、該当する誘導灯２Ｄにおいて点検が実施され、この点検結果は分岐通信路Ｌ２を介して監視装置３に送信される。監視装置３では、受信した点検結果を表示部３３に表示させるとともに記憶部３４に記憶させ、さらに制御装置１に向けて主幹通信部３１から主幹通信路Ｌ１に送出する。その後、制御装置１は、この点検結果を受信して表示部１２に表示させるとともに記憶部１３に記憶させる。ここに、同一の分岐通信路Ｌ２に接続される誘導灯２Ｃ，２Ｅ，２Ｆでは、同様の手順により点検結果が制御装置１に送信されることになり、また分岐通信路Ｌ３に接続される誘導灯２Ｇ〜２Ｊについても、同様の手順により点検結果が制御装置１に送信されることになる。
【００２７】
そして、すべての誘導灯２Ａ〜２Ｊにおいて点検が完了した状態では、制御装置１の記憶部１３および監視装置３の記憶部３４にすべての点検結果が記憶されることになる。
【００２８】
ここで、制御装置１からの点検命令が出ているにもかかわらず、所定時間が経過しても対象となる誘導灯からの点検結果が送信されない場合、監視装置３の制御部３０は点検対象の誘導灯で通信障害が起こっていると判断し、通信障害が起こっていることを表示部３３に表示させる。このとき、対象となる誘導灯のアドレスを合わせて表示させることになるが、本実施形態の監視装置３では制御装置１と各誘導灯２Ａ〜２Ｊの間の通信状態を接続部毎に監視しているため、対象となる誘導灯が接続された接続部を特定することが可能であり、該当する接続部の番号や名称なども合わせて表示される。なお、これらの障害情報は制御装置１の表示部１２にも表示され、また記憶部１３，３４にそれぞれ記憶される。すなわち、本実施形態の自動点検監視システムでは、通信経路の途中位置に配置された監視装置３の表示部３３にも障害情報が表示されるので、制御装置１が設置される集中管理室までわざわざ行かなくても障害情報が確認できるのである。しかも、通信障害がどの接続部で発生したかを知ることができるので、設置位置ごとにまとまって主幹通信路Ｌ１または分岐通信路Ｌ２，Ｌ３に接続されていれば、どの辺りの誘導灯で通信障害が起こったのかを大まかに把握することもできるのである。
【００２９】
ここにおいて、上述した記憶部１３，３４に記憶させた過去の点検スケジュールや点検結果や障害情報などは、記憶部１３，３４から読み出してそれぞれ表示部１２，３３に再表示できるようになっている。
【００３０】
而して、本実施形態によれば、通信障害の発生箇所を特定する際に、通信経路の途中位置に設けた監視装置３により障害情報を確認することができるので、従来例に比べて障害情報を表示する制御装置と障害箇所の間を行き来する手間を省くことができ、その結果通信障害の物理的な発生箇所を速やかに特定することができる。特に、本実施形態のように制御装置１と各誘導灯２Ａ〜２Ｊの間の通信状態を接続部毎に監視する場合には、通信障害の発生箇所を接続部単位で特定することができるから、物理的な障害箇所の特定をより速やかに行うことが可能になる。
【００３１】
また、制御装置１と各誘導灯２Ａ〜２Ｊの間の通信状態を表示部１２，３３により表示することができ、管理者やユーザはその表示内容からシステムの通信状態を容易に把握することができる。さらに、過去の監視結果（点検スケジュールや点検結果や障害情報など）を記憶部１３，３４から読み出して確認することができ、また例えば記憶部１３，３４としてＵＳＢメモリやＳＤメモリカードのように携帯可能なものを用いた場合には、本システムが設置された場所と異なる場所にいる人に対しても監視結果を提示することができる。
【００３２】
なお、本実施形態では、照明器具として誘導灯を用いた場合について説明したが、照明器具は本実施形態に限定されるものではなく、例えば非常用照明器具や一般用照明器具などであってもよい。また、本実施形態では、監視装置３の分岐数（接続部）が２つの場合について説明したが、３つ以上であってもよい。さらに、本実施形態では、各誘導灯２Ａ〜２Ｊへの点検命令をアドレス順に順次送信した場合について説明したが、送信方法についても本実施形態に限定されるものではない。また、報知手段についても本実施形態に限定されるものではなく、例えば音声などで報知するようなものであってもよい。さらに、照明システムについても本実施形態のものに限定されるものではない。
【符号の説明】
【００３３】
１  制御装置
２Ａ〜２Ｊ  誘導灯（照明器具）
３  監視装置
【図１】
2010231982.tif 000003
【図２】
2010231982.tif 000004